(57)【特許請求の範囲】
【請求項１】
移動者（Ｕ）に携帯され、該移動者（Ｕ）が特定の病原体を保有していないことを証明する病原体非保有証明情報および該病原体非保有証明情報の有効期限情報が記録される記録体（１０）と、
前記病原体非保有証明情報および有効期限情報を発行する権限を有する病原体非保有証明情報管理者によって管理され、前記記録体（１０）に、前記病原体非保有証明情報および該病原体非保有証明情報の有効期限情報を記録させる情報記録装置（２０）と、
前記移動者（Ｕ）の通過時に該移動者（Ｕ）が携帯する前記記録体（１０）の前記病原体非保有証明情報および該病原体非保有証明情報の有効期限情報を入力し、前記病原体非保有証明情報の存在が確認され、かつ前記病原体非保有証明情報または該病原体非保有証明情報の有効期限情報の入力時が前記病原体非保有証明情報の有効期限情報による有効期限内である場合に前記移動者（Ｕ）の通過を許し、前記病原体非保有証明情報の存在が確認されない場合または前記情報の入力時が前記病原体非保有証明情報の有効期限情報による有効期限外である場合には前記移動者（Ｕ）の通過を許さないゲート装置（３０）と、
を備えていることを特徴とする移動者制御システム。
【請求項２】
移動者（Ｕ）に携帯され、該移動者（Ｕ）が特定のワクチンを接種済であることを証明するワクチン接種済証明情報および該ワクチン接種済証明情報の有効期限情報が記録される記録体（１０）と、
前記ワクチン接種済証明情報および有効期限情報を発行する権限を有するワクチン接種済証明情報管理者によって管理され、前記記録体（１０）に、前記ワクチン接種済証明情報および該ワクチン接種済証明情報の有効期限情報を記録させる情報記録装置（２０）と、
前記移動者（Ｕ）の通過時に該移動者（Ｕ）が携帯する前記記録体（１０）の前記ワクチン接種済証明情報および該ワクチン接種済証明情報の有効期限情報を入力し、前記ワクチン接種済証明情報の存在が確認され、かつ前記ワクチン接種済証明情報または該ワクチン接種済証明情報の有効期限情報の入力時が前記ワクチン接種済証明情報の有効期限情報による有効期限内である場合に前記移動者（Ｕ）の通過を許し、前記ワクチン接種済証明情報の存在が確認されない場合または前記情報の入力時が前記ワクチン接種済証明情報の有効期限情報による有効期限外である場合には前記移動者（Ｕ）の通過を許さないゲート装置（３０）と、
を備えていることを特徴とする移動者制御システム。
【請求項３】
移動者（Ｕ）に携帯され、該移動者（Ｕ）を特定する移動者特定情報が記録される記録体（１０）と、
該移動者（Ｕ）が特定の病原体を保有していないことを証明する病原体非保有証明情報および該病原体非保有証明情報の有効期限情報を前記移動者特定情報と対応させられて記録される記録手段（４０）と、
前記病原体非保有証明情報および有効期限情報を発行する権限を有する病原体非保有証明情報管理者によって管理され、前記記録手段（４０）に、前記病原体非保有証明情報および該病原体非保有証明情報の有効期限情報を前記移動者特定情報と対応させて記録させる情報記録装置（２０）と、
前記移動者（Ｕ）の通過時に該移動者（Ｕ）が携帯する前記記録体（１０）の前記移動者特定情報を入力するとともに、該移動者特定情報と、前記記録手段（４０）に記録された該移動者特定情報に対応する前記病原体非保有証明情報および該病原体非保有証明情報の有効期限情報とを照合し、前記病原体非保有証明情報の存在が確認され、かつ前記移動者特定情報の入力時が前記病原体非保有証明情報の有効期限情報による有効期限内である場合に前記移動者（Ｕ）の通過を許し、前記病原体非保有証明情報の存在が確認されない場合または前記移動者特定情報の入力時が前記病原体非保有証明情報の有効期限情報による有効期限外である場合には前記移動者（Ｕ）の通過を許さないゲート装置（３０）と、
を備えていることを特徴とする移動者制御システム。
【請求項４】
移動者（Ｕ）に携帯され、該移動者（Ｕ）を特定する移動者特定情報が記録される記録体（１０）と、
該移動者（Ｕ）が特定のワクチンを接種済であることを証明するワクチン接種済証明情報および該ワクチン接種済証明情報の有効期限情報を前記移動者特定情報と対応させられて記録される記録手段（４０）と、
前記ワクチン接種済証明情報および有効期限情報を発行する権限を有するワクチン接種済証明情報管理者によって管理され、前記記録手段（４０）に、前記ワクチン接種済証明情報および該ワクチン接種済証明情報の有効期限情報を前記移動者特定情報と対応させて記録させる情報記録装置（２０）と、
前記移動者（Ｕ）の通過時に該移動者（Ｕ）が携帯する前記記録体（１０）の前記移動者特定情報を入力するとともに、該移動者特定情報と、前記記録手段（４０）に記録された該移動者特定情報に対応する前記ワクチン接種済証明情報および該ワクチン接種済証明情報の有効期限情報とを照合し、前記ワクチン接種済証明情報の存在が確認され、かつ前記移動者特定情報の入力時が前記ワクチン接種済証明情報の有効期限情報による有効期限内である場合に前記移動者（Ｕ）の通過を許し、前記ワクチン接種済証明情報の存在が確認されない場合または前記移動者特定情報の入力時が前記ワクチン接種済証明情報の有効期限情報による有効期限外である場合には前記移動者（Ｕ）の通過を許さないゲート装置（３０）と、
を備えていることを特徴とする移動者制御システム。
【請求項５】
請求項１〜４のうちいずれか一項において、
前記記録体（１０）はパスポートであることを特徴とする移動者制御システム。
【発明の詳細な説明】
【技術分野】
【０００１】
本発明は、移動者制御システムに関するものである。より詳しくは、移動者による特定病原体の感染拡大防止を目的とした移動者制御システムに関するものである。
【背景技術】
【０００２】
従来、例えば特許文献１に見られるように、
「所定情報を記録した情報記録物（４）と、この情報記録物を照査して通行者の通過を許可あるいは阻止をするゲート装置（１）と、このゲート装置（４）の入口部分床面に設置された重量センサ（５）と、この重量センサにより得られる通行者の実測体重値が前記情報記録物に予め記録されていて提示時に読み取られた許可通行者の届出体重値の所定偏差内である場合を判定しこの場合にのみ前記ゲート装置（１）を制御して通行者の通過を許可する判定制御部（１０）とを具備した」ゲートシステム及びその制御方法が知られている（同文献要約欄）
【０００３】
この従来技術によれば、
「簡易な構成にて、不当な通行者が正しい情報記録物を不正に使用する場合や複数人物が通過する“ともずれ”等の不正出入を防止し得る」（同文献要約欄）
【０００４】
しかし、この従来技術では、移動者による特定病原体の感染拡大を防止することはできない。
【先行技術文献】
【特許文献】
【０００５】
【特許文献１】特開平５−２６７１９号公報
【発明の概要】
【発明が解決しようとする課題】
【０００６】
本発明が解決しようとする課題は、移動者による特定病原体の感染拡大を防止することができる移動者制御システムを提供することである。
【課題を解決するための手段】
【０００７】
上記課題を解決するために本発明の移動者制御システムは、
移動者に携帯され、該移動者が特定の病原体を保有していないことを証明する病原体非保有証明情報および該病原体非保有証明情報の有効期限情報が記録される記録体と、
前記病原体非保有証明情報および有効期限情報を発行する権限を有する病原体非保有証明情報管理者によって管理され、前記記録体に、前記病原体非保有証明情報および該病原体非保有証明情報の有効期限情報を記録させる情報記録装置と、
前記移動者の通過時に該移動者が携帯する前記記録体の前記病原体非保有証明情報および該病原体非保有証明情報の有効期限情報を入力し、前記病原体非保有証明情報の存在が確認され、かつ前記病原体非保有証明情報または該病原体非保有証明情報の有効期限情報の入力時が前記病原体非保有証明情報の有効期限情報による有効期限内である場合に前記移動者の通過を許し、前記病原体非保有証明情報の存在が確認されない場合または前記情報の入力時が前記病原体非保有証明情報の有効期限情報による有効期限外である場合には前記移動者の通過を許さないゲート装置と、
を備えていることを特徴とする。
【０００８】
この移動者制御システムは次のようにして使用することができ、それに応じた効果が得られる。
（１）
前記病原体非保有証明情報および有効期限情報を発行する権限を有する病原体非保有証明情報管理者は、その管理する情報記録装置によって、前記記録体に、前記病原体非保有証明情報および該病原体非保有証明情報の有効期限情報を記録する。
（２）
移動者は、移動時、上記記録体を携帯する。
（３）
移動者による特定病原体の感染拡大を防止したい場所・領域の入り口に前記ゲート装置を設置する。
（４）
移動者が、上記ゲート装置の設置された場所・領域に入るべく、ゲート装置を通過しようとすると、ゲート装置は、移動者が携帯する前記記録体の前記病原体非保有証明情報および該病原体非保有証明情報の有効期限情報を入力し、前記病原体非保有証明情報の存在が確認され、かつ前記情報の入力時が前記病原体非保有証明情報の有効期限情報による有効期限内である場合に前記移動者の通過を許し、前記病原体非保有証明情報の存在が確認されない場合または前記情報の入力時が前記病原体非保有証明情報の有効期限情報による有効期限外である場合には前記移動者の通過を許さない。
【０００９】
すなわち、ゲート装置は、移動者が前記記録体を有しており、病原体非保有証明情報の存在が確認され、かつ前記情報の入力時が前記病原体非保有証明情報の有効期限情報による有効期限内である場合にのみ移動者の通過を許すこととなる。
【００１０】
したがって、上記ゲート装置の設置された場所・領域には、病原体非保有証明情報および有効期限情報を発行する権限を有する病原体非保有証明情報管理者が、上記特定病原体に関し完全とは言えないまでも安全と認めた人のみが入ることができるため、移動者による特定病原体の感染拡大が防止されることとなる。
【００１１】
以上のように、この移動者制御システムによれば、移動者による特定病原体の感染拡大を防止することができる。
【００１２】
また上記課題を解決するために本発明の移動者制御システムは、
移動者に携帯され、該移動者が特定のワクチンを接種済であることを証明するワクチン接種済証明情報および該ワクチン接種済証明情報の有効期限情報が記録される記録体と、
前記ワクチン接種済証明情報および有効期限情報を発行する権限を有するワクチン接種済証明情報管理者によって管理され、前記記録体に、前記ワクチン接種済証明情報および該ワクチン接種済証明情報の有効期限情報を記録させる情報記録装置と、
前記移動者の通過時に該移動者が携帯する前記記録体の前記ワクチン接種済情報および該ワクチン接種済証明情報の有効期限情報を入力し、前記ワクチン接種済証明情報の存在が確認され、かつ前記情報の入力時が前記ワクチン接種済証明情報の有効期限情報による有効期限内である場合に前記移動者の通過を許し、前記ワクチン接種済証明情報の存在が確認されない場合または前記ワクチン接種済証明情報または該ワクチン接種済証明情報の有効期限情報の入力時が前記ワクチン接種済証明情報の有効期限情報による有効期限外である場合には前記移動者の通過を許さないゲート装置と、
を備えていることを特徴とする。
【００１３】
この移動者制御システムは次のようにして使用することができ、それに応じた効果が得られる。
（１）
前記ワクチン接種済証明情報および有効期限情報を発行する権限を有するワクチン接種済証明情報管理者は、その管理する情報記録装置によって、前記記録体に、前記ワクチン接種済証明情報および該ワクチン接種済証明情報の有効期限情報を記録する。
（２）
移動者は、移動時、上記記録体を携帯する。
（３）
移動者による特定病原体の感染拡大を防止したい場所・領域の入り口に前記ゲート装置を設置する。
（４）
移動者が、上記ゲート装置の設置された場所・領域に入るべく、ゲート装置を通過しようとすると、ゲート装置は、移動者が携帯する前記記録体の前記ワクチン接種済証明情報および該ワクチン接種済証明情報の有効期限情報を入力し、前記ワクチン接種済証明情報の存在が確認され、かつ前記情報の入力時が前記ワクチン接種済証明情報の有効期限情報による有効期限内である場合に前記移動者の通過を許し、前記ワクチン接種済証明情報の存在が確認されない場合または前記情報の入力時が前記ワクチン接種済証明情報の有効期限情報による有効期限外である場合には前記移動者の通過を許さない。
【００１４】
すなわち、ゲート装置は、移動者が前記記録体を有しており、ワクチン接種済証明情報の存在が確認され、かつ前記情報の入力時が前記ワクチン接種済証明情報の有効期限情報による有効期限内である場合にのみ移動者の通過を許すこととなる。
【００１５】
したがって、上記ゲート装置の設置された場所・領域には、ワクチン接種済証明情報および有効期限情報を発行する権限を有するワクチン接種済証明情報管理者が、特定病原体に関し完全とは言えないまでも安全と認めた人のみが入ることができるため、移動者による特定病原体の感染拡大が防止されることとなる。
【００１６】
以上のように、この移動者制御システムによれば、移動者による特定病原体の感染拡大を防止することができる。
【００１７】
また上記課題を解決するために本発明の移動者制御システムは、
移動者に携帯され、該移動者を特定する移動者特定情報が記録される記録体と、
該移動者が特定の病原体を保有していないことを証明する病原体非保有証明情報および該病原体非保有証明情報の有効期限情報を前記移動者特定情報と対応させられて記録される記録手段と、
前記病原体非保有証明情報および有効期限情報を発行する権限を有する病原体非保有証明情報管理者によって管理され、前記記録手段に、前記病原体非保有証明情報および該病原体非保有証明情報の有効期限情報を前記移動者特定情報と対応させて記録させる情報記録装置と、
前記移動者の通過時に該移動者が携帯する前記記録体の前記移動者特定情報を入力するとともに、該移動者特定情報と、前記記録手段に記録された該移動者特定情報に対応する前記病原体非保有証明情報および該病原体非保有証明情報の有効期限情報とを照合し、前記病原体非保有証明情報の存在が確認され、かつ前記移動者特定情報の入力時が前記病原体非保有証明情報の有効期限情報による有効期限内である場合に前記移動者の通過を許し、前記病原体非保有証明情報の存在が確認されない場合または前記移動者特定情報の入力時が前記病原体非保有証明情報の有効期限情報による有効期限外である場合には前記移動者の通過を許さないゲート装置と、
を備えていることを特徴とする。
【００１８】
この移動者制御システムは次のようにして使用することができ、それに応じた効果が得られる。
（１）
移動者に携帯される記録体に、該移動者を特定する移動者特定情報を記録する。
（２）
前記病原体非保有証明情報および有効期限情報を発行する権限を有する病原体非保有証明情報管理者は、その管理する情報記録装置によって、前記記録手段に、前記移動者特定情報と対応させて前記病原体非保有証明情報および該病原体非保有証明情報の有効期限情報を記録する。
（３）
移動者は、移動時、上記記録体を携帯する。
（４）
移動者による特定病原体の感染拡大を防止したい場所・領域の入り口に前記ゲート装置を設置する。
（５）
移動者が、上記ゲート装置の設置された場所・領域に入るべく、ゲート装置を通過しようとすると、ゲート装置は、移動者が携帯する前記記録体の移動者特定情報を入力するとともに、該移動者特定情報と、前記記録手段に記録された該移動者特定情報に対応する前記病原体非保有証明情報および該病原体非保有証明情報の有効期限情報とを照合し、前記病原体非保有証明情報の存在が確認され、かつ前記移動者特定情報の入力時が前記病原体非保有証明情報の有効期限情報による有効期限内である場合に前記移動者の通過を許し、前記病原体非保有証明情報の存在が確認されない場合または前記移動者特定情報の入力時が前記病原体非保有証明情報の有効期限情報による有効期限外である場合には前記移動者の通過を許さない。
【００１９】
すなわち、ゲート装置は、移動者が前記記録体を有しており、その移動者特定情報に対応する病原体非保有証明情報の存在が確認され、かつ前記情報の入力時が前記病原体非保有証明情報の有効期限情報による有効期限内である場合にのみ移動者の通過を許すこととなる。
【００２０】
したがって、上記ゲート装置の設置された場所・領域には、病原体非保有証明情報および有効期限情報を発行する権限を有する病原体非保有証明情報管理者が、上記特定病原体に関し完全とは言えないまでも安全と認めた人のみが入ることができるため、移動者による特定病原体の感染拡大が防止されることとなる。
【００２１】
以上のように、この移動者制御システムによれば、移動者による特定病原体の感染拡大を防止することができる。
【００２２】
また上記課題を解決するために本発明の移動者制御システムは、
移動者に携帯され、該移動者を特定する移動者特定情報が記録される記録体と、
該移動者が特定のワクチンを接種済であることを証明するワクチン接種済証明情報および該ワクチン接種済証明情報の有効期限情報を前記移動者特定情報と対応させられて記録される記録手段と、
前記ワクチン接種済証明情報および有効期限情報を発行する権限を有するワクチン接種済証明情報管理者によって管理され、前記記録手段に、前記ワクチン接種済証明情報および該ワクチン接種済証明情報の有効期限情報を前記移動者特定情報と対応させて記録させる情報記録装置と、
前記移動者の通過時に該移動者が携帯する前記記録体の前記移動者特定情報を入力するとともに、該移動者特定情報と、前記記録手段に記録された該移動者特定情報に対応する前記ワクチン接種済証明情報および該ワクチン接種済証明情報の有効期限情報とを照合し、前記ワクチン接種済証明情報の存在が確認され、かつ前記移動者特定情報の入力時が前記ワクチン接種済証明情報の有効期限情報による有効期限内である場合に前記移動者の通過を許し、前記ワクチン接種済証明情報の存在が確認されない場合または前記移動者特定情報の入力時が前記ワクチン接種済証明情報の有効期限情報による有効期限外である場合には前記移動者の通過を許さないゲート装置と、
を備えていることを特徴とする。
【００２３】
この移動者制御システムは次のようにして使用することができ、それに応じた効果が得られる。
（１）
移動者に携帯される記録体に、該移動者を特定する移動者特定情報を記録する。
（２）
前記ワクチン接種済証明情報および有効期限情報を発行する権限を有するワクチン接種済証明情報管理者は、その管理する情報記録装置によって、前記記録手段に、前記移動者特定情報と対応させて前記ワクチン接種済証明情報および該病原体非保有証明情報の有効期限情報を記録する。
（３）
移動者は、移動時、上記記録体を携帯する。
（４）
移動者による特定病原体の感染拡大を防止したい場所・領域の入り口に前記ゲート装置を設置する。
（５）
移動者が、上記ゲート装置の設置された場所・領域に入るべく、ゲート装置を通過しようとすると、ゲート装置は、移動者が携帯する前記記録体の移動者特定情報を入力するとともに、該移動者特定情報と、前記記録手段に記録された該移動者特定情報に対応する前記ワクチン接種済証明情報および該ワクチン接種済証明情報の有効期限情報とを照合し、前記ワクチン接種済証明情報の存在が確認され、かつ前記移動者特定情報の入力時が前記ワクチン接種済証明情報の有効期限情報による有効期限内である場合に前記移動者の通過を許し、前記ワクチン接種済証明情報の存在が確認されない場合または前記移動者特定情報の入力時が前記ワクチン接種済証明情報の有効期限情報による有効期限外である場合には前記移動者の通過を許さない。
【００２４】
すなわち、ゲート装置は、移動者が前記記録体を有しており、その移動者特定情報に対応するワクチン接種済証明情報の存在が確認され、かつ前記情報の入力時が前記ワクチン接種済証明情報の有効期限情報による有効期限内である場合にのみ移動者の通過を許すこととなる。
【００２５】
したがって、上記ゲート装置の設置された場所・領域には、ワクチン接種済証明情報および有効期限情報を発行する権限を有するワクチン接種済証明情報管理者が、上記特定病原体に関し完全とは言えないまでも安全と認めた人のみが入ることができるため、移動者による特定病原体の感染拡大が防止されることとなる。
【００２６】
以上のように、この移動者制御システムによれば、移動者による特定病原体の感染拡大を防止することができる。
【００２７】
上記の移動者制御システムにおいては、
前記記録体はパスポートで構成とすることができる。
このように構成すると、外国へ移動する際にパスポートの他に別途記録体を携帯する必要がなくなる。
【図面の簡単な説明】
【００３４】
【図１】本発明に係る移動者制御システムの実施の形態を示すシステム構成図。
【図２】他の実施の形態のシズテム構成図。
【図３】さらに他の実施の形態のシズテム構成図。
【図４】さらに他の実施の形態のシズテム構成図。
【図５】記録体１０を非接触型ＩＣカードで構成する場合のブロック図。
【図６】記録体１０の記録内容例を模式的に示した図。
【図７】制御部３４のブロック図。
【図８】制御部３４のフローチャート。
【図９】記録体１０をカード型とする場合の外観図。
【図１０】（ａ）は確認装置５０のブロック図、（ｂ）はそのフローチャート。
【発明を実施するための形態】
【００３５】
以下、本発明に係る移動者制御システムの実施の形態について図面を参照して説明する。なお、各図において、同一部分ないし相当する部分には、同一の符号を付してある。
【００３６】
＜第１の実施の形態＞
図１に示すように、この実施の形態の移動者制御システムは、
移動者Ｕに携帯され、移動者Ｕが特定の病原体を保有していないことを証明する病原体非保有証明情報および該病原体非保有証明情報の有効期限情報が記録される記録体１０と、
病原体非保有証明情報および有効期限情報を発行する権限を有する病原体非保有証明情報管理者によって管理され、記録体１０に、病原体非保有証明情報および該病原体非保有証明情報の有効期限情報を記録させる情報記録装置２０と、
移動者Ｕの通過時に移動者Ｕが携帯する記録体１０の病原体非保有証明情報および該病原体非保有証明情報の有効期限情報を入力し、病原体非保有証明情報の存在が確認され、かつ前記情報の入力時が前記病原体非保有証明情報の有効期限情報による有効期限内である場合に前記移動者Ｕの通過を許し、前記病原体非保有証明情報の存在が確認されない場合または前記情報の入力時が前記病原体非保有証明情報の有効期限情報による有効期限外である場合には前記移動者Ｕの通過を許さないゲート装置３０と、
を備えている。
【００３７】
なお、「病原体」とは、病原となる、原生動物や細菌やウイルスをいう。
「特定の病原体」はこのシステムの利用者によって選定される。例えば、ジカ熱、マラリア、エボラ出血熱、鳥インフルエンザ、はしか、新型コロナウイルス（SARS-CoV-2）等を挙げることができる。
【００３８】
この移動者制御システムは次のようにして使用することができ、それに応じた効果が得られる。
【００３９】
（１）
病原体非保有証明情報および有効期限情報を発行する権限を有する病原体非保有証明情報管理者は、その管理する情報記録装置２０によって、記録体１０に、病原体非保有証明情報および該病原体非保有証明情報の有効期限情報を記録する。
【００４０】
（２）
移動者Ｕは、移動時、記録体１０を携帯する。
【００４１】
（３）
移動者Ｕによる特定病原体の感染拡大を防止したい場所・領域Ａの入り口Ａ１にゲート装置３０を設置する。例えば交通機関のゲートとして設置する。
【００４２】
（４）
移動者Ｕが、ゲート装置３０の設置された場所・領域Ａに入るべく、ゲート装置３０を通過しようとすると、ゲート装置３０は、移動者Ｕが携帯する記録体１０の病原体非保有証明情報および該病原体非保有証明情報の有効期限情報を入力し、前記病原体非保有証明情報の存在が確認され、かつ前記情報（病原体非保有証明情報または該病原体非保有証明情報の有効期限情報）の入力時が前記病原体非保有証明情報の有効期限情報による有効期限内である場合に移動者Ｕの通過を許し、前記病原体非保有証明情報の存在が確認されない場合または前記情報の入力時が前記病原体非保有証明情報の有効期限情報による有効期限外である場合には移動者Ｕの通過を許さない。
【００４３】
すなわち、ゲート装置３０は、移動者Ｕが記録体１０を有しており、病原体非保有証明情報の存在が確認され、かつ前記情報のゲート装置３０への入力時が前記病原体非保有証明情報の有効期限情報による有効期限内である場合にのみ移動者Ｕの通過を許すこととなる。
【００４４】
したがって、ゲート装置３０の設置された場所・領域Ａには、病原体非保有証明情報および有効期限情報を発行する権限を有する病原体非保有証明情報管理者が、上記特定病原体に関し完全とは言えないまでも安全と認めた人（移動者）のみが入ることができるため、移動者Ｕによる特定病原体の感染拡大が防止されることとなる。
【００４５】
以上のように、この移動者制御システムによれば、移動者Ｕによる特定病原体の感染拡大を防止することができる。
【００４６】
＜第２の実施の形態＞
この実施の形態を構成するハードウエアは、上記実施の形態と同じもので構成することができるので、図１を参照して説明すると、この実施の形態移動者制御システムは、
移動者Ｕに携帯され、該移動者Ｕが特定のワクチンを接種済であることを証明するワクチン接種済証明情報および該ワクチン接種済証明情報の有効期限情報が記録される記録体１０と、
前記ワクチン接種済証明情報および有効期限情報を発行する権限を有するワクチン接種済証明情報管理者によって管理され、記録体１０に、前記ワクチン接種済証明情報および該ワクチン接種済証明情報の有効期限情報を記録させる情報記録装置２０と、
移動者Ｕの通過時に該移動者Ｕが携帯する記録体１０の前記ワクチン接種済情報および該ワクチン接種済証明情報の有効期限情報を入力し、ワクチン接種済証明情報の存在が確認され、かつ前記情報の入力時が前記ワクチン接種済証明情報の有効期限情報による有効期限内である場合に移動者Ｕの通過を許し、前記ワクチン接種済証明情報の存在が確認されない場合または前記情報の入力時が前記ワクチン接種済証明情報の有効期限情報による有効期限外である場合には移動者Ｕの通過を許さないゲート装置３０と、
を備えている。
【００４７】
なお、「ワクチン」とは、感染症の予防に用いる医薬品をいう。
「特定のワクチン」はこのシステムの利用者によって選定される。例えば、ジカ熱、マラリア、エボラ出血熱、鳥インフルエンザ、はしか、新型コロナウイルス（SARS-CoV-2）等の感染予防のためのワクチンを挙げることができる。また、新たに発生するであろう、ウイルス等病原体に対するワクチンも含まれる。
【００４８】
この移動者制御システムは次のようにして使用することができ、それに応じた効果が得られる。
（１）
ワクチン接種済証明情報および有効期限情報を発行する権限を有するワクチン接種済証明情報管理者は、その管理する情報記録装置２０によって、記録体１０に、ワクチン接種済証明情報および該ワクチン接種済証明情報の有効期限情報を記録する。
（２）
移動者Ｕは、移動時、記録体１０を携帯する。
（３）
移動者Ｕによる特定病原体の感染拡大を防止したい場所・領域Ａの入り口Ａ１にゲート装置３０を設置する。
（４）
移動者Ｕが、ゲート装置３０の設置された場所・領域Ａに入るべく、ゲート装置３０を通過しようとすると、ゲート装置３０は、移動者Ｕが携帯する前記記録体１０の前記ワクチン接種済証明情報および該ワクチン接種済証明情報の有効期限情報を入力し、前記ワクチン接種済証明情報の存在が確認され、かつ前記情報の入力時が前記ワクチン接種済証明情報の有効期限情報による有効期限内である場合に前記移動者Ｕの通過を許し、前記ワクチン接種済証明情報の存在が確認されない場合または前記情報の入力時が前記ワクチン接種済証明情報の有効期限情報による有効期限外である場合には前記移動者Ｕの通過を許さない。
【００４９】
すなわち、ゲート装置３０は、移動者Ｕが記録体１０を有しており、ワクチン接種済証明情報の存在が確認され、かつ前記情報の入力時が前記ワクチン接種済証明情報の有効期限情報による有効期限内である場合にのみ移動者Ｕの通過を許すこととなる。
【００５０】
したがって、ゲート装置３０の設置された場所・領域Ａには、ワクチン接種済証明情報および有効期限情報を発行する権限を有するワクチン接種済証明情報管理者が、特定病原体に関し完全とは言えないまでも安全と認めた人のみが入ることができるため、移動者Ｕによる特定病原体の感染拡大が防止されることとなる。
【００５１】
以上のように、この移動者制御システムによれば、移動者Ｕによる特定病原体の感染拡大を防止することができる。
【００５２】
＜第３の実施の形態＞
図２に示すように、この実施の形態の移動者制御システムは、
移動者Ｕに携帯され、該移動者Ｕを特定する移動者特定情報が記録される記録体１０と、
該移動者Ｕが特定の病原体を保有していないことを証明する病原体非保有証明情報および該病原体非保有証明情報の有効期限情報を前記移動者特定情報と対応させられて記録される記録手段４０と、
前記病原体非保有証明情報および有効期限情報を発行する権限を有する病原体非保有証明情報管理者によって管理され、前記記録手段４０に、前記病原体非保有証明情報および該病原体非保有証明情報の有効期限情報を前記移動者特定情報と対応させて記録させる情報記録装置２０と、
移動者Ｕの通過時に該移動者Ｕが携帯する記録体１０の前記移動者特定情報を入力するとともに、該移動者特定情報と、前記記録手段４０に記録された該移動者特定情報に対応する前記病原体非保有証明情報および該病原体非保有証明情報の有効期限情報とを照合し、前記病原体非保有証明情報の存在が確認され、かつ前記移動者特定情報の入力時が前記病原体非保有証明情報の有効期限情報による有効期限内である場合に前記移動者Ｕの通過を許し、前記病原体非保有証明情報の存在が確認されない場合または前記移動者特定情報の入力時が前記病原体非保有証明情報の有効期限情報による有効期限外である場合には前記移動者Ｕの通過を許さないゲート装置３０と、
を備えている。
【００５３】
この移動者制御システムは次のようにして使用することができ、それに応じた効果が得られる。
（１）
移動者Ｕに携帯される記録体１０に、該移動者Ｕを特定する移動者特定情報を記録する。
（２）
前記病原体非保有証明情報および有効期限情報を発行する権限を有する病原体非保有証明情報管理者は、その管理する情報記録装置２０によって、記録手段４０に、前記移動者特定情報と対応させて前記病原体非保有証明情報および該病原体非保有証明情報の有効期限情報を記録する。
（３）
移動者Ｕは、移動時、上記記録体１０を携帯する。
（４）
移動者Ｕによる特定病原体の感染拡大を防止したい場所・領域Ａの入り口Ａ１にゲート装置３０を設置する。
（５）
移動者Ｕが、ゲート装置３０の設置された場所・領域Ａに入るべく、ゲート装置３０を通過しようとすると、ゲート装置３０は、移動者Ｕが携帯する記録体１０の移動者特定情報を入力するとともに、該移動者特定情報と、記録手段４０に記録された該移動者特定情報に対応する前記病原体非保有証明情報および該病原体非保有証明情報の有効期限情報とを照合し、前記病原体非保有証明情報の存在が確認され、かつ前記移動者特定情報の入力時が前記病原体非保有証明情報の有効期限情報による有効期限内である場合に移動者Ｕの通過を許し、前記病原体非保有証明情報の存在が確認されない場合または前記移動者特定情報の入力時が前記病原体非保有証明情報の有効期限情報による有効期限外である場合には移動者Ｕの通過を許さない。
【００５４】
すなわち、ゲート装置３０は、移動者Ｕが記録体１０を有しており、その移動者特定情報に対応する病原体非保有証明情報の存在が確認され、かつ前記移動者特定情報の入力時が前記病原体非保有証明情報の有効期限情報による有効期限内である場合にのみ移動者Ｕの通過を許すこととなる。
【００５５】
したがって、上記ゲート装置３０の設置された場所・領域Ａには、病原体非保有証明情報および有効期限情報を発行する権限を有する病原体非保有証明情報管理者が、上記特定病原体に関し完全とは言えないまでも安全と認めた人のみが入ることができるため、移動者Ｕによる特定病原体の感染拡大が防止されることとなる。
【００５６】
以上のように、この移動者制御システムによれば、移動者Ｕによる特定病原体の感染拡大を防止することができる。
【００５７】
＜第４の実施の形態＞
この実施の形態を構成するハードウエアは、上記実施の形態（図２）と同じもので構成することができるので、図２を参照して説明すると、この実施の形態移動者制御システムは、
移動者Ｕに携帯され、該移動者Ｕを特定する移動者特定情報が記録される記録体１０と、
該移動者Ｕが特定のワクチンを接種済であることを証明するワクチン接種済証明情報および該ワクチン接種済証明情報の有効期限情報を前記移動者特定情報と対応させられて記録される記録手段４０と、
前記ワクチン接種済証明情報および有効期限情報を発行する権限を有するワクチン接種済証明情報管理者によって管理され、前記記録手段４０に、前記ワクチン接種済証明情報および該ワクチン接種済証明情報の有効期限情報を前記移動者特定情報と対応させて記録させる情報記録装置２０と、
前記移動者Ｕの通過時に該移動者Ｕが携帯する記録体１０の移動者特定情報を入力するとともに、該移動者特定情報と、記録手段４０に記録された該移動者特定情報に対応する前記ワクチン接種済証明情報および該ワクチン接種済証明情報の有効期限情報とを照合し、ワクチン接種済証明情報の存在が確認され、かつ移動者特定情報の入力時がワクチン接種済証明情報の有効期限情報による有効期限内である場合に移動者Ｕの通過を許し、ワクチン接種済証明情報の存在が確認されない場合または移動者特定情報の入力時がワクチン接種済証明情報の有効期限情報による有効期限外である場合には移動者Ｕの通過を許さないゲート装置３０と、
を備えている。
【００５８】
この移動者制御システムは次のようにして使用することができ、それに応じた効果が得られる。
（１）
移動者Ｕに携帯される記録体１０に、該移動者Ｕを特定する移動者特定情報を記録する。
（２）
前記ワクチン接種済証明情報および有効期限情報を発行する権限を有するワクチン接種済証明情報管理者は、その管理する情報記録装置２０によって、記録手段４０に、前記移動者特定情報と対応させて前記ワクチン接種済証明情報および該病原体非保有証明情報の有効期限情報を記録する。
（３）
移動者Ｕは、移動時、上記記録体１０を携帯する。
（４）
移動者Ｕによる特定病原体の感染拡大を防止したい場所・領域Ａの入り口Ａ１にゲート装置３０を設置する。
（５）
移動者Ｕが、上記ゲート装置３０の設置された場所・領域Ａに入るべく、ゲート装置３０を通過しようとすると、ゲート装置３０は、移動者Ｕが携帯する記録体１０の移動者特定情報を入力するとともに、該移動者特定情報と、記録手段４０に記録された該移動者特定情報に対応するワクチン接種済証明情報および該ワクチン接種済証明情報の有効期限情報とを照合し、ワクチン接種済証明情報の存在が確認され、かつ移動者特定情報のゲート装置３０における入力時が前記ワクチン接種済証明情報の有効期限情報による有効期限内である場合に移動者Ｕの通過を許し、ワクチン接種済証明情報の存在が確認されない場合または移動者特定情報のゲート装置３０における入力時がワクチン接種済証明情報の有効期限情報による有効期限外である場合には移動者Ｕの通過を許さない。
【００５９】
すなわち、ゲート装置３０は、移動者Ｕが記録体１０を有しており、その移動者特定情報に対応するワクチン接種済証明情報の存在が確認され、かつ移動者特定情報のゲート装置３０における入力時が前記ワクチン接種済証明情報の有効期限情報による有効期限内である場合にのみ移動者Ｕの通過を許すこととなる。
【００６０】
したがって、ゲート装置３０の設置された場所・領域Ａには、ワクチン接種済証明情報および有効期限情報を発行する権限を有するワクチン接種済証明情報管理者が、上記特定病原体に関し完全とは言えないまでも安全と認めた人のみが入ることができるため、移動者Ｕによる特定病原体の感染拡大が防止されることとなる。
【００６１】
以上のように、この移動者制御システムによれば、移動者Ｕによる特定病原体の感染拡大を防止することができる。
【００６２】
上記の移動者制御システムにおいては、記録体１０はパスポートで構成とすることができる。
このように構成すると、外国へ移動する際にパスポートの他に別途記録体を携帯する必要がなくなる。
【００６３】
＜記録体の第１の実施の形態＞
記録体１０の第１の実施の形態は、移動者Ｕに携帯され、該移動者Ｕが特定の病原体を保有していないことを証明する病原体非保有証明情報および該病原体非保有証明情報の有効期限情報が記録される記録体１０であって、
前記病原体非保有証明情報および有効期限情報を発行する権限を有する病原体非保有証明情報管理者によって管理される情報記録装置２０によって、前記病原体非保有証明情報および該病原体非保有証明情報の有効期限情報が記録されるものである。
【００６４】
この記録体１０によれば、上記移動者制御システムに利用できる他、例えば図３に示すように、移動者Ｕによる特定病原体の感染拡大を防止したい場所・領域Ａの入り口Ａ１等に、移動者Ｕが携帯する記録体１０の病原体非保有証明情報および該病原体非保有証明情報の有効期限情報を入力し、前記病原体非保有証明情報の存在を確認できる確認装置５０を用意しておくことにより、当該場所・領域Ａへの移動者Ｕの移動の可否を判断することができる。
【００６５】
＜記録体の第２の実施の形態＞
記録体１０の第２の実施の形態は、移動者Ｕに携帯され、該移動者Ｕが特定のワクチンを接種済であることを証明するワクチン接種済証明情報および該ワクチン接種済証明情報の有効期限情報が記録される記録体１０であって、
前記ワクチンを接種済証明情報および有効期限情報を発行する権限を有するワクチン接種済証明情報管理者によって管理される情報記録装置２０によって、前記ワクチン接種済証明情報および該ワクチン接種済証明情報の有効期限情報が記録されるものである。
【００６６】
この記録体１０によれば、上記移動者制御システムに利用できる他、例えば図３に示すように、移動者Ｕによる特定病原体の感染拡大を防止したい場所・領域Ａの入り口Ａ１等に、移動者Ｕが携帯する記録体１０のワクチン接種済証明情報および該ワクチン接種済証明情報の有効期限情報を入力し、前記ワクチン接種済証明情報の存在を確認できる確認装置５０を用意しておくことにより、当該場所・領域Ａへの移動者Ｕの移動の可否を判断することができる。
【００６７】
記録体１０は、さらに、前記移動者Ｕの医療情報として、血液型、現在服用している薬の情報、現在並びに過去の疾病情報、が記録されている構成とすることができる。
【００６８】
このように構成すると、前記移動者Ｕが病人として医療機関に搬入された際、医療機関の対応が容易になる。
すなわち、この記録体１０により、感染症に関する安全性の判断が容易になって、速やかに医療機関に受け入れられやすくなるとともに、速やかな治療を受けることも可能となる。
【００６９】
以下、さらに詳しく説明する。
【００７０】
記録体１０は、この記録体１０の携帯者である移動者Ｕを特定する移動者特定情報、移動者Ｕが特定の病原体を保有していないことを証明する病原体非保有証明情報および該病原体非保有証明情報の有効期限情報、および／またはワクチン接種済証明情報および該ワクチン接種済証明情報の有効期限情報を記録することができるものであれば良く、例えば、接触型ＩＣカード、非接触型ICカード、またはスマートホン等の携帯端末装置（以下スマートホンという）で構成することができる。
【００７１】
ＩＣカードは接触型と非接触型とに分類できる。接触型は、カード端末機のリーダ／ライタ端子と接触するモジュール端子を持つタイプでカードと端子が直接接触して通信を行う。
非接触型はカード内部にアンテナが内蔵されており、端末のリーダ／ライタから発生している磁界にカードをかざすことで無線通信でデータのやりとりを行う。
【００７２】
図５は記録体１０を構成する非接触型ＩＣカードのハードウェア的な構成例を示すブロック図である。
この非接触型ＩＣカード（１０）は、ＣＰＵ（Ｃｅｎｔｒａｌ  Ｐｒｏｃｅｓｓｉｎｇ  Ｕｎｉｔ）１１、高周波回路１２、ＲＯＭ（Ｒｅａｄ  Ｏｎｌｙ  Ｍｅｍｏｒｙ）１３、ＲＡＭ（Ｒａｎｄｏｍ  Ａｃｃｅｓｓ  Ｍｅｍｏｒｙ）１４、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）１５、アンテナ１６を内蔵している。
【００７３】
アンテナ１６以外の素子は、非接触型ＩＣカード内に埋め込まれたＩＣチップで形成されている。アンテナ１６は、非接触型ＩＣカード内部の外縁部付近に張り巡らされ、端部がＩＣチップに接続されている。
【００７４】
なお、記録体１０をスマートホンで構成する場合、上記各素子およびアンテナは、スマートホンが有する各素子およびアンテナによって構成することができる。
【００７５】
ＣＰＵ１１は、ＲＯＭ１３やＥＥＰＲＯＭ１５に記憶されているプログラムに従って情報処理を行う中央処理装置である。 ＣＰＵ１１は、リーダライタを介してゲート装置３０や確認装置５０と通信を行い、記録体１０に記録されている情報の内、必要な情報をゲート装置３０や確認装置５０に送信する。
【００７６】
高周波回路１２は、リーダライタからアンテナ１６に送信されてきた高周波をデジタル信号に変換してＣＰＵ１１に出力したり、ＣＰＵ１１が出力したデジタル信号を高周波に変換してアンテナ１６に出力し、リーダライタに送信する。
【００７７】
ＲＡＭ１４は、ＣＰＵ１１が情報処理を行う際のワーキングメモリを提供する随時書き込み読み出しメモリである。
【００７８】
ＲＯＭ１３は、非接触型ＩＣカードを機能させるための基本的なプログラムやパラメータ、データなどを記憶した読み出し専用メモリである。
【００７９】
ＥＥＰＲＯＭ１５は、情報を書き込んだり消去したりが可能なＲＯＭである。ＥＥＰＲＯＭ１５に記憶してある情報は、非接触型ＩＣカードへの電力の供給がない場合でも保たれる。
ＲＯＭ１３とＥＥＰＲＯＭ１５は、非接触型ＩＣカードのプログラム・データ記憶領域を構成している。
ＥＥＰＲＯＭ１５には、例えば、非接触型ＩＣカードを機能させるための基本的なプログラムであるＯＳ（Ｏｐｅｒａｔｉｎｇ  Ｓｙｓｔｅｍ）や、アプリケーションプログラムなどが記憶される。
また、ＥＥＰＲＯＭ１５には、非接触型ＩＣカードごとに異なる固有の情報、即ち固有情報が記憶されている。
【００８０】
図６は、ＥＥＰＲＯＭ１５の記録内容例を模式的に示した図である。
ＥＥＰＲＯＭ１５には、記録体１０の携帯者である移動者Ｕを特定する移動者特定情報（ＩＤ）、移動者Ｕが特定の病原体を保有していないことを証明する病原体非保有証明情報および該病原体非保有証明情報の有効期限情報、ワクチン接種済証明情報および該ワクチン接種済証明情報の有効期限情報が記録される。
【００８１】
例えば、図６に示すように、移動者特定情報（ＩＤ）が所定の桁数の英数字で記録され、病原体名が所定の桁数のコード（図では１２３ＡＢＣ）で記録され、その証明情報が所定のコード（図ではＯＫ）で記録され、その有効期限が年月日（図では20200630）で記録される。また、ワクチン名が所定の桁数のコード（図では４５６ＤＥＦ）で記録され、その証明情報が所定のコード（図ではＯＫ）で記録され、その有効期限が年月日（図では202001231）で記録される。
【００８２】
図６において、移動者Ｕが特定の病原体を保有していないことを証明する病原体非保有証明情報は、病原体コードおよびその証明情報（ＯＫ）で構成される。すなわち、この移動者Ｕは、病原体コード（１２３ＡＢＣ）で表される病原体を有していないことが証明（ＯＫ）されており、その有効期限は２０２０年６月３０日であることを意味している。
また、ワクチン接種済証明情報はワクチンコードおよびその証明情報（ＯＫ）で構成される。すなわち、この移動者Ｕは、ワクチンコード（４５６ＤＥＦ）で表されるワクチンを接種済であることが証明（ＯＫ）されており、その有効期限は２０２０年１２月３１日であることを意味している。
【００８３】
これら病原体非保有証明情報および該病原体非保有証明情報の有効期限情報、ワクチン接種済証明情報および該ワクチン接種済証明情報の有効期限情報は、これら証明情報および有効期限情報を発行する権限を有する証明情報管理者によって管理される情報記録装置２０によって、記録体１０に記録される。
【００８４】
記録体１０をパスポートで構成する場合には、ＩＣパスポートで構成し、ＩＣ内に上記各素子を実装する。
【００８５】
記録体１０をカード型とする場合、その外観は、例えば、図９に示すような外観とする。
記録体１０をスマートホンで構成する場合、スマートホンの画面に、図９と同様の画像を表示できるようにする。
国籍・住所欄において、例えば、最初の３桁（１２３）は国コードとし、次の２桁（４５）は県コードとし、次の２桁（６７）は市コードとし、次の２桁（８９）は町コードとし、次の２桁（０１）は丁コードとし、最後の３桁（２３４）は番地コードとする。
【００８６】
情報記録装置２０の管理者としては、国が証明情報および有効期限情報を発行する権限を付与する医療機関等を挙げることができる。
【００８７】
情報記録装置２０（図２等）は、記録体１０への上記各種情報を書き込むことができるパーソナルコンピュータで構成することができる。より詳しくは、情報記録装置２０は、キーボード、マウスなどの入力装置、ディスプレイなどの出力装置を備え、さらに、非接触型ＩＣカードと近距離の無線通信が可能なリーダライタ、リーダライタを介して非接触型ＩＣカードに対しデータやコマンドの送受信を行うことができるＩＣカード通信モジュールを備えている。
【００８８】
ゲート装置３０は、図１に示すように、フラップ型ゲート装置を用いることができる。
ゲート装置３０は、通路を形成する左右の側壁３１，３１と、これら側壁から通路を遮るように設けられた扉３２，３２と、一方の側壁３１に設けられ、移動者Ｕが携帯する記録体１０に記録された情報を読み取るための情報読取部３３と、この情報読取部３３で読み取った記録体１０の情報を処理し、移動者Ｕの通過を許可するか否かを判断して扉３２，３２の開閉を制御する制御部３４を備えている。
【００８９】
図７のブロック図に示すように、制御部３４は、情報読取部３３に提示された記録体１０の記録情報を読み取って信号に変換するリーダ３４ｒと、リーダ３４ｒで読み取られた記録情報に基づき移動者Ｕの通過を許可するか否かを判断し、その判断結果に応じて、扉開閉手段３４ｄに制御信号を送出する判断部３４ｊと、この判断部３４ｊからの制御信号に応じて、扉３２、３２を開閉駆動する駆動手段３４ｄとを備えている。
【００９０】
図８は判断部３４ｊの作動を示すフローチャートである。
判断部３４ｊは次のように作動する。
＜ステップＳＴ１＞
記録体１０内の情報を読み取る。
＜ステップＳＴ２＞
通過規制対象となる特定の病原体非保有証明情報（病原体コードおよびその証明情報（ＯＫ））および／またはワクチン接種済証明情報（ワクチンコードおよびその証明情報（ＯＫ））、それらの有効期限情報の有無を判断する。
上記情報があればステップＳＴ３に進み、上記情報がなければステップＳＴ５に進む。
＜ステップＳＴ３＞
ステップＳＴ１での情報読取り時が、上記情報の有効期限以内であるか否かを判断する。
ステップＳＴ１での情報読取り時が、上記情報の有効期限以内であればステップＳＴ４に進み、そうでなければステップＳＴ５に進む。
＜ステップＳＴ４＞
駆動手段３４ｄに対し、扉３２，３２を開く制御信号を送る。
＜ステップＳＴ５＞
駆動手段３４ｄに対し、扉３２，３２を開く制御信号を送らない（閉じたままとする）。
【００９１】
ゲート装置３０は、例えば、駅の改札口、飛行機の搭乗手続き領域、スポーツ競技場の入り口等に設置される。
【００９２】
図２，図４において、記憶手段４０は、移動者Ｕが特定の病原体を保有していないことを証明する病原体非保有証明情報および該病原体非保有証明情報の有効期限情報を前記移動者特定情報（ＩＤ）と対応させられて記録することのできる装置で構成でき、例えば、ゲート装置３０、あるいは確認装置５０の管理者が管理するパーソナルコンピュータ４１のハードディスク装置で構成することができる。この場合、ゲート装置３０あるいは確認装置５０の管理者が管理するパーソナルコンピュータ４１と、前述した情報記録装置２０とはネットワークＮ（インターネットを含む）を介して接続することが望ましい。
【００９３】
また、記録手段４０は情報記録装置２０を構成するパーソナルコンピュータが備えるハードディスク装置４０’で構成することもできる。この場合、ゲート装置３０あるいは確認装置５０の管理者が管理するパーソナルコンピュータ４１と、情報記録装置２０とはネットワークＮ（を介して接続する。
記録手段４０には、必要に応じ、移動者Ｕが特定のワクチンを接種済であることを証明するワクチン接種済証明情報および該ワクチン接種済証明情報の有効期限情報が前記移動者特定情報と対応させられて記録される。
【００９４】
確認装置５０（図３等）は、移動者Ｕが携帯する記録体１０の病原体非保有証明情報等およびその有効期限情報を入力し、病原体非保有証明情報等およびその有効期限を確認できる装置であれば良く、移動者Ｕによる特定病原体の感染拡大を防止したい場所・領域Ａ（例えば病院等の医療機関等）の入り口Ａ１等に設置される。
【００９５】
確認装置５０は、例えば、図１０に示すように、移動者Ｕが携帯する記録体１０に記録された情報を読み取るための情報読取部５１と、この情報読取部５１で読み取った記録体１０の情報を処理し、移動者Ｕの通過を許可するか否かを判断して判断結果を表示部５３に表示させる判断部５２とを備えている。
【００９６】
判断部５２は次のように作動する。
＜ステップＳＴ１＞
移動者Ｕが携帯する記録体１０内の情報を読み取る。
＜ステップＳＴ２＞
通過規制対象となる特定の病原体非保有証明情報（病原体コードおよびその証明情報（ＯＫ））および／またはワクチン接種済証明情報（ワクチンコードおよびその証明情報（ＯＫ））、それらの有効期限情報の有無を判断する。
上記情報があればステップＳＴ３に進み、上記情報がなければステップＳＴ５に進む。
＜ステップＳＴ３＞
ステップＳＴ１での情報読取り時が、上記情報の有効期限以内であるか否かを判断する。
ステップＳＴ１での情報読取り時が、上記情報の有効期限以内であればステップＳＴ４に進み、そうでなければステップＳＴ５に進む。
＜ステップＳＴ４＞
表示部５３に、移動者の通過を許可する旨を表示する。
＜ステップＳＴ５＞
表示部５３に、移動者の通過を許可しない旨を表示する。
【００９７】
以上、本願発明の実施の形態について説明したが、その意義についてさらに説明する。
【００９８】
世界にはまだまだウイルスによる脅威が迫っている。
これらウイルスは蚊、鳥、動物による媒介が主であるが、最近の新型コロナウイルスなどは人を媒介として感染が拡大している。
２０世紀後半から２１世紀に入り、経済のグローバル化が進み、人の往来がものすごい数、スピードで拡大している。
【００９９】
だれでもが感染のおそれがあり、媒介者となって、感染を拡げるおそれがある。
このような感染を防ぐ方法として、例えばロックダウンは、感染を拡げない意味での効果はある。
感染者を移動させない、封じ込める、また、感染者を入れない等、社会活動、経済活動等人の動きを止めてしまわないと防ぐことは困難である。
【０１００】
しかし、このような行動には限界がある。
どうしたら社会活動の制限を少なくして、新型コロナウイルス等、現在の脅威や将来の脅威の被害を少なくすることができるか。移動の制限が、そのウイルスを封じ込め、蔓延を防ぎ、その治療に効果的が期待できるのは何か。２０２０年末には新型コロナウイルスのワクチンができるといわれている。また、感染した場合の効果的な薬も２０２０年末には臨床を終わるといわれている。
【０１０１】
しかし現在の日本の状況を鑑みると、都市封鎖ができないばかりか、まだまだ人の往来が多く、大、中、小規模の感染源を徹底して封鎖することができない。
【０１０２】
このような背景を踏まえ、移動手段に対する効果的な方法を提供するのが本願発明である。
現代では人が移動する手段としては、飛行機、電車、船舶、車、自転車、徒歩などであるが、移動がなければ、そのウイルスは小さなエリアに留まり、感染拡大のスピードは遅くなります。
【０１０３】
本願発明は、入れない（出さない）  がキーワードになる。
本願発明によると、入るため（出るため）には鍵（カード等の記録体１０）が必要になる。
例えば、ある程度の規模の催し等に参加する場合は、ワクチン接種等の証明としてカード等の記録体１０が必要になる。
【０１０４】
本発明によれば、特定の病原体を保有しない者や後述するようにワクチン接種等をした者のみ、そのものが携行する記録体１０で証明され、ある特定の場所・領域Ａへの入場が許される。
ある特定の場所・領域Ａとしては、飛行機の搭乗手続き領域、新幹線、電車などの切符改札領域、後楽園球場をはじめとする野球場、コンサート会場、サッカー場、ラグビー場、水泳会場、武道館などの大規模スポーツ観戦会場、各種展示会会場、各種コンサート、歌舞伎等エンターテインメント鑑賞、小学校、中学校、高等学校、大学、専門学校、各種塾、旅館、ホテル等大勢の人数が集まる場所を挙げることができる。
【０１０５】
東京をはじめとする大都市、京都などの観光地、また観光資源のある地方都市などで感染が拡大すると、経済的ダメージは計り知れない。
いち早く、安全に経済活動、社会活動を迅速に行うためには、保菌者でないこと、ワクチンの接種者であることの証明が求められる。
今現在と比べると、本発明の方式は大変面倒で且つ、余計な時間を要するかも知れない。
【０１０６】
しかし、この余計に見えることが、大変重要で、自らが感染しない予防措置であるばかりでなく、他者に感染を拡げないなど、他者の自由、権利、財産をも保護しようとするものである。
【０１０７】
本発明によれば、海外旅行に出かける場合は、現地の実情に合わせたワクチン接種の証明がされなければ出国も入国もできないようにすることができる。
海外旅行に際しては、誰しもパスポートが必要になる。
これは国際的なルールである。これからは記録体１０をパスポートで構成し、その携行を必要不可欠とすることができる。
【０１０８】
国内においても、大規模な集会、コンサート、スポーツイベント、電車、飛行機の移動など大勢の人数と接する機会のある場所へのアクセスにはこの記録体１０を必要不可欠とすることができる。
このことにより、コロナウイルスばかりでなく、予想外の病気が出た場合にもいち早く対処でき、経済的ダメージや、その他被害を最小化することができる。この本発明の方式を拡充することが、日本ばかりでなく世界の病気蔓延に一石を投じることになる。
【０１０９】
毎年、冬になると大流行するインフルエンザであるが、ワクチンの接種率はここ数年変わらず５０％前後の水準である。日本国内ではワクチンを接種することにより約６０％の感染を防げることが証明されている。本発明の導入を図ることにより、行動範囲の広い若年層にワクチンの接種率が上がり、感染率に好影響をもたらすものと考えられる。インフルエンザワクチンを接種しないで罹患し、他者に感染を拡大させる人が少なくなれば、学級閉鎖など社会活動や経済活動にも好影響を与えるものと考えられる。
【０１１０】
本発明の方式は、まず、自らが感染しないこと、そして他者をも感染させないことへの、大きな転換点になると考えられる。記録体１０は入れる情報によっては多少のプライバシーを侵害するかもしれません。しかし公共の福祉、利益から見れば軽微なものと考えられる。
カード等の記録体１０は、偽造を防止するため、発行に関して、各国が責任をもって対応することが重要である。
有効期限は上記ウイルスへのワクチンその他の予防措置の最小有効期限をもって期限とし、書き換えに際しての偽造などが担保できない場合は、その都度カード（記録体１０）を新たに切り替える。
【０１１１】
カード方式は接触・非接触一体型カードを基本とするが、国情によって、発行が困難な国も予想される。ただし所謂２０といわれる国においては、接触・非接触一体型ＩＣカードの方式を採用するのが望ましい。
最低でもＩＣチップ内蔵のカードを使用するのが望ましい。
【０１１２】
記録体１０をスマートフォンで構成する場合、スマートフォンに専用アプリケーションをインストールして、本発明に必要な書き込み情報をすべて書き込み、必要に応じて、表示できれるようにする。すべての情報は、記録体１０をとおして書き込み、登録している情報が画面上に表示できるようにする。大規模なスポーツイベントの入場管理には、スマートフォンは忘れずに持ち歩くので、スムーズな入場管理が期待できる。
【０１１３】
記録体１０の発行主体としては、医療機関、行政機関を挙げることができる。
例えば、住所登録のある行政機関（単位は市町村）の場合は市役所、町村の場合は町村役場並びにＪＡにおいて、カードの発行並び情報のインストールを行うことができるようにする。
個人にとっては大変煩わしい行動を強いられるが、この記録体１０がなければ、野球場へも、サッカー、ラグビー場など多くの人が集まるイベントへの入場ができない為、普及は進み、結果としてのワクチン接種率は高くなることが期待できる。
【０１１４】
また、患者等が救急車で搬送される場合、この記録体１０を提示すると例えば新型コロナ感染並びにその他の疾病の防除が証明されるため、病院の受け入れがスムーズになり、いわゆるたらい回しが軽減できる。
また一つのフロアに大勢の人数が勤務仕事してる場合でも、全員が防除を証明できれば、安心して仕事ができる。
つまりウイルスからの疾病防除は個々の責任においてなされるものであり、個々の責任においてウイルスからの防除の証明をするものとする。
この記録体１０には、現在服用している薬の情報（薬によっては血が止まらなくなるため手術などの参考になる）、血液型、現在並びに過去の疾病情報（例えば心筋梗塞1996年、糖尿病（2018年）や例えば心筋梗塞によるステント挿入手術のCT画像、超音波画像などインストールしておき、パスワードで個人情報のセキュリティー管理をする。怪我、病気で緊急搬送される場合、本人の肉体的、経済的負担軽減につながる。これもスマートフォンと連動すれば記憶容量は十分に確保できる。
【０１１５】
さらに、ほとんどのスマートフォンには、GPS機能がついているため、この記録体１０としての機能を連動させると移動者Ｕの行動を容易に把握ができる。
疾病に罹患した人の行動を把握することにより、早期に疾病の拡散に対する対処ができる。特にユーロ圏内はいったん入国してしまえばパスポートもいらず、電車や自動車で移動した場合、行動の把握が難しいため、疾病非拡散対策には有効になる。
【０１１６】
以上、本発明の実施の形態について説明したが、本発明は上記の実施の形態に限定されるものではなく、本発明の要旨の範囲内において適宜変形実施可能である。例えば、
【０１１７】
上記の実施の形態では、ゲート装置３０としてフラップ型のゲート装置を挙げ説明したが、本願発明はその他ドア型あるいはインターロック型等のゲート装置を用いたゲートシステムにも適用することができる。
【０１１８】
また、カード型記録体１０をゲートシステムの投入口より投入すると、内部で情報読取り等の処理を行なった後返却口より返却される構成のゲート装置にも適用できる。
【０１１９】
上記移動者制御システムは、これを管理する任意の団体（仮称、例えば日本感染症予防協会等）を設置し、この協会がこの移動者制御システムを管理するようにすることもできる。
最初にワクチンを摂取した時点で、医療機関による証明書の発行を受け、その証明書と保険証か運転免許証等その個人を特定できる書類、写真添付で、上記協会に送付する。
上記協会はその書類をもとに、記録体１０（例えば、仮称、感染防止カード）を発行する。
協会は、協会独自のサーバーを使用して情報を管理する。
地域の医療機関ではワクチン接種時にカードリーダーで新たな情報に書き換える。  書き換え可能な医療機関の選定は地域の医師会の推薦を受けた施設が行う。
【０１２０】
ワクチン接種済証明情報および該ワクチン接種済証明情報の有効期限情報に関しては、例えばCOVIT―１９の場合、上記の仮称感染防止カードを作成した時点で陰性でも、その後の感染、再感染により陽性の場合は少なからずあるため、当該病原体のワクチン接種による、免疫保有を証明するほうがより確実性が高い。
この場合ワクチンの種類、摂取量などにより免疫保有有効期限を設け、ワクチン接種時に絶えず更新して最新の状態を表示できるようにしておく。
【０１２１】
図２，図４にシステムに関しては、ゲート装置等そのものが各種情報を記憶しているものではなく、現在のクレジットカードシステムのように、ICチップに記録された個人の情報を、仮称感染防止サーバーにつなげ確認する。野球場、サッカー場など５万人を超えるものは、SUICAシステムのように、サーバーと連動してゲートが開閉作動することにより、短時間に大人数の出入りが可能になるタッチアンドゴー・ゲート方式が有効であるが、小規模のコンサート会場のようなところには、設備の導入費用がかさむ為、上記、感染防止センターが発行する記憶媒体カード並びにそのカードと連動しているスマートフォンアプリで病原体の有無、ワクチン接種の有無と有効期限が一目でわかるようなアプリケーションを開発する。病原体非保有者並びに、ワクチン接収による、該当病原体に対する免疫保持者は、スマートフォンの画面の淵の部分を緑色表示にして、本人識別するための顔写真を大きく表示、且つ、音声でも同時に表現する。（例えば、猫の鳴き声を模して、ニャーオと音声を発する）病原体保持者並びに当該病原体のワクチン接種による免疫の非保有者は赤色表示と同時に音声でワンワンと音を発することにより、簡単に識別できる。
スマートフォンがない場合でも、小規模な飲食店でも導入しているエアペイなどのように、このカードをカードリーダーに挿入すると、パソコン、パッドなどと連動して画像で本人確認並びに赤色、緑色の表示で確認できる。
海外からの旅行者等、空港における通関、検疫システムにもこの感染防止カードが有効である。
出国に際して、病原体の防除が必要とされる地域を訪れる場合、当該地域で流行している病原体への感染を防除するため、予防のワクチンの接種を受け、その証明を当該カードに書き込み、出入国の際、証明する。
日本国内の移動に関しても、飛行機、新幹線、船舶、その他長距離列車等でも搭乗、乗船、乗車する場合、この制度を導入することにより、公衆衛生上の安全が担保される。
【符号の説明】
【０１２２】
１０：    記録体
２０：    情報記録装置
３０：    ゲート装置
【要約】
【課題】移動者による特定病原体の感染拡大を防止することができる移動者制御システムおよび記録体を提供する。
【解決手段】移動者Ｕに携帯され、移動者Ｕが特定の病原体を保有していないことを証明する病原体非保有証明情報および該病原体非保有証明情報の有効期限情報が記録される記録体１０と、病原体非保有証明情報および有効期限情報を発行する権限を有する病原体非保有証明情報管理者によって管理され、記録体１０に、病原体非保有証明情報および病原体非保有証明情報の有効期限情報を記録させる情報記録装置２０と、移動者Ｕの通過時に移動者Ｕが携帯する記録体１０の病原体非保有証明情報および病原体非保有証明情報の有効期限情報を入力し、病原体非保有証明情報の存在が確認され、かつ情報の入力時が病原体非保有証明情報の有効期限情報による有効期限内である場合にのみ移動者Ｕの通過を許すゲート装置３０とを備えている。
【選択図】図１【図１】
0006765777.tif 000002
【図２】
0006765777.tif 000003
【図３】
0006765777.tif 000004
【図４】
0006765777.tif 000005
【図５】
0006765777.tif 000006
【図６】
0006765777.tif 000007
【図７】
0006765777.tif 000008
【図８】
0006765777.tif 000009
【図９】
0006765777.tif 000010
【図１０】
0006765777.tif 000011